(57)【要約】【課題】複数のチューナー回路部を備えていながらも、チューナー回路部へのノイズ混入やチューナー回路部同士の干渉を、極力抑えることが可能な受信装置を提供する。【解決手段】それぞれが、チューナー入力端子を介して外部から入力される高周波の放送信号を、所定の周波数で検波して中間周波数の信号に変換する、複数のチューナー回路部と、前記チューナー回路部の各々から出力される前記中間周波数の信号が入力され、該信号に所定の処理を施して、アナログの映像音声信号を生成する信号処理部と、前記複数のチューナー回路部が配置された第１基板と、前記信号処理部などが配置された第２基板と、前記第１基板と前記第２基板が内側に配置されるシャーシと、を備え、前記第１基板と第２基板は、互いにジャンパー線にて接続され、複数のチューナー回路部の各々は、シールド部材が介在することによって、互いに分離されている受信装置とする。【選択図】図２
2009302796.tif 000002
【特許請求の範囲】
【請求項１】
同時に複数経路にて放送信号を受信する受信装置において、
それぞれが、チューナー入力端子を介して外部から入力される高周波の放送信号を、所定の周波数で検波して中間周波数の信号に変換する、複数のチューナー回路部と、
前記チューナー回路部の各々から出力される前記中間周波数の信号が入力され、該信号に所定の処理を施して、アナログの映像音声信号を生成する信号処理部と、
前記チューナー回路部、および前記信号処理部に電源を供給する電源部と、
前記複数のチューナー回路部が配置された第１基板と、
前記信号処理部、および前記電源部が配置された第２基板と、
前記第１基板と前記第２基板が内側に配置されるとともに、前記チューナー入力端子が取り付けられているシャーシと、
を備え、
前記第１基板と第２基板は、互いにジャンパー線にて接続され、
前記複数のチューナー回路部の各々は、シールド部材が介在することによって、互いに分離されていることを特徴とする受信装置。
【請求項２】
前記放送信号は、
デジタルの映像音声信号に圧縮処理の施された信号が、所定の変調方式によって変調されているものであり、
前記信号処理部は、
前記チューナー回路部の各々から出力される前記中間周波数の信号が入力され、該信号に対して復調処理を施す、デジタル復調回路部と、
前記復調処理の施された信号が入力され、該信号に施されている前記圧縮処理を解除する、デジタル回路部と、
前記圧縮処理の解除された信号が入力され、該信号をアナログの映像音声信号に変換する映像音声出力回路と、
を備えることを特徴とする請求項１に記載の受信装置。
【請求項３】
前記シャーシ内には、前記チューナー入力端子に近い側から順に、前記チューナー回路部、前記デジタル復調回路部、前記電源部、前記デジタル回路部、および前記映像音声出力回路が配置され、
前記第１基板には、前記シャーシの外側に突出する端子は設けられていないことを特徴とする請求項２に記載の受信装置。
【請求項４】
前記第１基板と第２基板は、互いに略平行に伸びるよう配置された複数のジャンパー線にて接続されている一方、
該複数のジャンパー線の各々は、前記チューナー回路部から出力される前記中間周波数の信号を伝送する信号線、またはアース線として用いられるものであり、
該複数のジャンパー線の配置態様について、
一の前記チューナー回路部に係る該信号線と、これと隣り合う前記チューナー回路部に係る該信号線との間には、該アース線が介在していることを特徴とする請求項３に記載の受信装置。
【請求項５】
前記第１基板は、
外縁の一辺においては、前記チューナー入力端子が接続されている一方、
該一辺の対辺においては、前記複数のチューナー回路部からの前記中間周波数の信号の出力に用いられる、前記ジャンパー線が接続されていることを特徴とする請求項３に記載の受信装置。
【請求項６】
前記第１基板の層数は、前記第２基板の層数より少ないことを特徴とする請求項１から請求項５の何れかに記載の受信装置。
【請求項７】
前記第１基板は２層基板であり、前記第２基板は４層基板であることを特徴とする請求項６に記載の受信装置
【請求項８】
前記第１基板のアナログアースパターンおよび前記第２基板のデジタルアースパターンは、各基板の片面側において、前記シャーシにはんだ接続（「第１はんだ接続」とする）によって接続されており、
該第１はんだ接続によって、これらのアースパターンは、該シャーシを介して電気的に接続されていることを特徴とする請求項１から請求項３の何れかに記載の受信装置
【請求項９】
前記基板の片面側は、
前記基板の表面側と裏面側のうち、前記シャーシとの距離が近い方であることを特徴とする請求項８に記載の受信装置。
【請求項１０】
前記第１はんだ接続は、前記各基板の複数の辺において行われていることを特徴とする請求項８に記載の受信装置。
【請求項１１】
前記第１はんだ接続は、前記各基板の全ての辺において行われていることを特徴とする請求項１０に記載の受信装置。
【請求項１２】
前記ジャンパー線は、前記各基板の片面側において、該各基板にはんだ接続（「第２はんだ接続」とする）によって接続されていることを特徴とする請求項８に記載の受信装置。
【請求項１３】
前記各基板において、
前記第１はんだ接続と前記第２はんだ接続は、同一の面で行われていることを特徴とする請求項１２に記載の受信装置。
【請求項１４】
前記アナログの映像音声信号の外部出力に用いられる出力端子を備え、
該出力端子は全て、前記チューナー入力端子の突出方向と、略直角の方向へ突出するように配置されていることを特徴とする請求項１から請求項１３の何れかに記載の受信装置。
【請求項１５】
前記第２基板にはんだ接続（「第３はんだ接続」とする）によって接続されており、前記アナログの映像音声信号の外部出力に用いられる出力端子を備え、
前記第２基板において、
前記第１はんだ接続、前記第２はんだ接続、および前記第３はんだ接続は、同一の面で行われていることを特徴とする請求項１３に記載の受信装置。
【請求項１６】
請求項１から請求項１５の何れかに記載の受信装置と、
該受信装置から前記アナログの映像音声信号を受取り、該受取った信号に基づいて映像を表示する、映像表示装置と、
を備えたことを特徴とする受信システム。
【発明の詳細な説明】
【技術分野】
【０００１】
本発明は、放送信号を受信する受信装置および受信システムに関し、特に、複数のチューナー回路を備えるものに関する。
【背景技術】
【０００２】
従来、放送信号（放送波）を受信する受信装置や受信システムが広く用いられており、その用途や構造は、多種多様にわたっている。その一つとして、放送信号の受信経路（アンテナやチューナ）が複数設けられており、それぞれによって得られた信号を合成する等により、受信性能の向上が図られているものがある。例えば車載用の受信装置では、「４チューナーキャリア合成」といった方式が開発されている。
【０００３】
このような複数の受信経路を有する受信システムの一例について、図７を参照しながら説明する。本図に示すように、当該受信システムは、複数のアンテナ６０１、受信装置７００、映像表示装置８００を備えている。また受信装置７００内には、複数のチューナー回路部７０１が設けられており、映像表示装置８００内には、デジタル復調回路部８０１、デジタル回路部８０３、電源部８０７、表示処理部８０８、および音声処理部８０９が設けられている。
【０００４】
当該受信システムは、次のように動作する。各アンテナ６０１によって受信されたそれぞれの放送信号は、そのアンテナに接続されているチューナー回路部７０１に入力される。なお放送信号は、デジタルの映像音声信号に圧縮処理の施された信号が、所定の変調方式によって変調されているものである。各チューナー回路部７０１は、入力された放送信号を所定の周波数で検波し、中間周波数の信号に変換して、後段に接続されている映像表示装置８００に出力する。
【０００５】
一方、映像表示装置８００側では、前段から入力されてきた中間周波数の信号の各々が、先ず、デジタル復調回路部８０１のデジタル復調ＩＣ８０２に入力される。デジタル復調ＩＣ８０２は、中間周波数の信号の各々を復調・合成し、圧縮されたデジタルの映像音声信号を生成する。
【０００６】
この圧縮されたデジタルの映像音声信号は、デジタル回路部８０３の映像音声処理ＩＣ８０４に入力される。映像音声処理ＩＣ８０４は、デジタル回路部８０３の映像音声処理用メモリ８０５に記録されているデータを用いて、圧縮されたデジタルの映像音声信号に伸張処理（圧縮を解除する処理）を施し、伸張されたデジタルの映像信号と音声信号を生成する。なお映像音声処理ＩＣの動作には、デジタル回路部８０３のプログラム用メモリに記録されている、受信装置の制御コードが用いられる。
【０００７】
そして伸張されたデジタルの映像信号は、表示処理部８０８に入力される一方、伸張されたデジタルの音声信号は、音声処理部８０９に入力される。また表示処理部８０８は、入力された映像信号に基づいて映像を表示する。また音声処理部８０９は、入力された音声信号に基づいて音声を出力する。
【０００８】
なお特許文献１には、受信された高周波信号をデジタル復調する際、デジタル復調部のノイズが高周波信号入力部へ与える影響を軽減させたデジタル放送受信装置が開示されている。また特許文献２には、ＦＭ復調部とＩ／Ｑコンバータ部が同一筐体内に設けられた衛星放送受信用チューナーについて、コンパクト化が図られるとともに、ＦＭ復調部とＩ／Ｑコンバータ部との間における相互干渉を軽減させたものが開示されている。また特許文献３には、セット機器への取り付け面積を小さくするため、ＲＦモジュレータとチューナー部が同一筐体内に設けられたＲＦモジュレータを含む、一体型ユニットが開示されている。
【特許文献１】特開２０００−６８６７３号公報
【特許文献２】特開平１１−３４１３７５号公報
【特許文献３】実開平６−３８３７９号公報
【発明の開示】
【発明が解決しようとする課題】
【０００９】
上述したように、チューナー回路部が複数備えられている受信装置であれば、複数経路にて放送信号を受信することができ、受信性能の向上等を図ることが可能となる。ただし、各チューナー回路部に種々のノイズ信号が混入し易くなっていると、適切な検波処理などが阻害され、受信性能が劣化するおそれがある。特に、受信装置内に複数のチューナー回路部が設けられている場合には、チューナー回路同士が干渉し合うことによって、受信性能が劣化することも考えられる。
【００１０】
また先述した受信システムのように、映像表示装置内に、デジタル復調回路部やデジタル回路部などを設けるようにすると、映像表示装置における部品数や配線数が多くなる。そのため映像表示装置に用いられる基板を、多層基板にしなければならないといった問題が生ずる。また、デジタル復調回路部やデジタル回路部から発生する不要輻射やノイズの対策を、映像表示装置において実施しておく必要があり、シールドの追加等による映像表示装置のコストアップが問題となる。また、デジタル復調回路部やデジタル回路部の発熱対策のため、放熱板の追加等による映像表示装置のコストアップも問題となる。
【００１１】
本発明は、上述の問題点に鑑み、複数のチューナー回路部を備えていながらも、チューナー回路部へのノイズ混入やチューナー回路部同士の干渉を、極力抑えることが可能な受信装置および受信システムの提供を目的とする。また映像表示装置における基板の簡易化や、映像表示装置のコストアップを極力抑えることが可能な受信システムの提供をも目的とする。
【課題を解決するための手段】
【００１２】
上記目的を達成するために、本発明に係る受信装置は、同時に複数経路にて放送信号を受信する受信装置において、それぞれが、チューナー入力端子を介して外部から入力される高周波の放送信号を、所定の周波数で検波して中間周波数の信号に変換する、複数のチューナー回路部と、前記チューナー回路部の各々から出力される前記中間周波数の信号が入力され、該信号に所定の処理を施して、アナログの映像音声信号を生成する信号処理部と、前記チューナー回路部、および前記信号処理部に電源を供給する電源部と、前記複数のチューナー回路部が配置された第１基板と、前記信号処理部、および前記電源部が配置された第２基板と、前記第１基板と前記第２基板が内側に配置されるとともに、前記チューナー入力端子が取り付けられているシャーシと、を備え、前記第１基板と第２基板は、互いにジャンパー線にて接続され、前記複数のチューナー回路部の各々は、シールド部材が介在することによって、互いに分離されている構成（第１の構成）とする。
【００１３】
本構成によれば、複数のチューナー回路部等は、シャーシの内側に配置されることとなる。そのため、チューナー回路部への外部からのノイズ混入を、極力抑えることが可能となる。また更に、チューナー回路部と信号処理部は各々別の基板に配置されているため、同一基板に配置される場合に比べて、チューナー回路部への信号処理部からのノイズ混入を抑えることが容易となる。また更に、各チューナー回路部は、シールド部材が介在することによって、互いに分離されることとなる。そのため、チューナー回路部同士の干渉も、極力抑えることが可能となる。
【００１４】
また上記第１の構成としてより具体的には、前記放送信号は、デジタルの映像音声信号に圧縮処理の施された信号が、所定の変調方式によって変調されているものであり、前記信号処理部は、前記チューナー回路部の各々から出力される前記中間周波数の信号が入力され、該信号に対して復調処理を施す、デジタル復調回路部と、前記復調処理の施された信号が入力され、該信号に施されている前記圧縮処理を解除する、デジタル回路部と、前記圧縮処理の解除された信号が入力され、該信号をアナログの映像音声信号に変換する映像音声出力回路と、を備える構成（第２の構成）としてもよい。
【００１５】
また上記第２の構成において、前記シャーシ内には、前記チューナー入力端子に近い側から順に、前記チューナー回路部、前記デジタル復調回路部、前記電源部、前記デジタル回路部、および前記映像音声出力回路が配置され、前記第１基板には、前記シャーシの外側に突出する端子は設けられていない構成（第３の構成）としてもよい。本構成によれば、第１基板に備えられているチューナー回路部への、外部からのノイズ混入を、より一層抑えることが可能となる。
【００１６】
また上記第３の構成において、前記第１基板と第２基板は、互いに略平行に伸びるよう配置された複数のジャンパー線にて接続されている一方、該複数のジャンパー線の各々は、前記チューナー回路部から出力される前記中間周波数の信号を伝送する信号線、またはアース線として用いられるものであり、該複数のジャンパー線の配置態様について、一の前記チューナー回路部に係る該信号線と、これと隣り合う前記チューナー回路部に係る該信号線との間には、該アース線が介在している構成（第４の構成）としてもよい。
【００１７】
本構成によれば、一のチューナー回路部から出力される信号と、これと隣り合うチューナー回路部から出力される信号線とが、互いに干渉することを、極力抑えることが可能となる。また、各チューナー回路部のアース線を確保することが容易となる。
【００１８】
また上記第３の構成において、前記第１基板は、外縁の一辺においては、前記チューナー入力端子が接続されている一方、該一辺の対辺においては、前記複数のチューナー回路部からの前記中間周波数の信号の出力に用いられる、前記ジャンパー線が接続されている構成（第５の構成）としてもよい。本構成によれば、チューナー入力端子に近い側から順に、第１基板および第２基板を配置させるにあたって、ジャンパー線による両基板の接続が容易となる。
【００１９】
また上記第１から第５の何れかの構成において、前記第１基板の層数は、前記第２基板の層数より少ない構成（第６の構成）としてもよく、より具体的には、前記第１基板は２層基板であり、前記第２基板は４層基板である構成（第７の構成）としてもよい。本構成によれば、第１基板の製造コストを極力抑えることが可能となる。
【００２０】
また上記第１から第３の何れかの構成において、前記第１基板のアナログアースパターンおよび前記第２基板のデジタルアースパターンは、各基板の片面側において、前記シャーシにはんだ接続（「第１はんだ接続」とする）によって接続されており、該第１はんだ接続によって、これらのアースパターンは、該シャーシを介して電気的に接続されている構成（第８の構成）としてもよい。
【００２１】
本構成によれば、受信装置の製造工程において、シャーシと各基板のアースパターンをはんだ接続する際に、はんだ接続を行う度に基板を裏返すといった工程を削減することが可能となる。そのため、受信装置の製造コストを極力抑えることが可能となる。また同時に、第１基板と第２基板の各アースパターンを、シャーシを介して電気的に接続させることが可能となる。
【００２２】
また上記第８の構成において、前記基板の片面側は、前記基板の表面側と裏面側のうち、前記シャーシとの距離が近い方である構成（第９の構成）としてもよい。
【００２３】
本構成によれば、受信装置の製造工程において、はんだ付け装置および工具が、シャーシの側面に誤って接触する事態を回避させやすくすることが可能となる。その結果、受信装置の製造（実装）工程を効率の良いものとし、ひいては、製造コストを極力抑えることが可能となる。
【００２４】
また上記第８の構成において、前記第１はんだ接続は、前記各基板の複数の辺において行われている構成（第１０の構成）としてもよく、より具体的には、前記第１はんだ接続は、前記各基板の全ての辺において行われている構成（第１１の構成）としてもよい。
【００２５】
本構成によれば、シャーシとアースパターンとの接続点が、比較的多く確保されることになる。そのため、シャーシとアースパターンの間におけるインピーダンスを、極力小さくすることが容易となる。
【００２６】
また上記第８の構成において、前記ジャンパー線は、前記各基板の片面側において、該各基板にはんだ接続（「第２はんだ接続」とする）によって接続されている構成（第１２の構成）としてもよい。
【００２７】
本構成によれば、受信装置の製造工程において、ジャンパー線と各基板をはんだ接続する際に、はんだ接続を行う度に基板を裏返すといった工程を削減することが可能となる。そのため、受信装置の製造コストを極力抑えることが可能となる。
【００２８】
また上記第１２の構成において、前記各基板において、前記第１はんだ接続と前記第２はんだ接続は、同一の面で行われている構成（第１３の構成）としてもよい。
【００２９】
本構成によれば、受信装置の製造工程において、例えば第１はんだ接続と第２はんだ接続がまとめて実行されるような場合に、はんだ接続を行う度に基板を裏返すといった工程を削減することが可能となる。そのため、受信装置の製造コストを極力抑えることが可能となる。
【００３０】
また上記第１から第１３の何れかの構成において、前記アナログの映像音声信号の外部出力に用いられる出力端子を備え、該出力端子は全て、前記チューナー入力端子の突出方向と、略直角の方向へ突出するように配置されている構成（第１４の構成）としてもよい。
【００３１】
本構成によれば、アナログの映像音声信号を、外部（特に映像表示装置）に出力することが可能となる。また例えば出力端子を映像表示装置に挿入することで、受信装置が映像表示装置に取り付け可能となっている場合に、受信装置の取り付け態様（受信装置を立てて取り付けるか、或いは、寝かせて取り付けるか）を、出力端子の折り曲げの有無によって選択可能とすることが容易となる。
【００３２】
また上記第１３の構成において、前記第２基板にはんだ接続（「第３はんだ接続」とする）によって接続されており、前記アナログの映像音声信号の外部出力に用いられる出力端子を備え、前記第２基板において、前記第１はんだ接続、前記第２はんだ接続、および前記第３はんだ接続は、同一の面で行われている構成（第１５の構成）としてもよい。
【００３３】
本構成によれば、アナログの映像音声信号を、外部（特に映像表示装置）に出力することが可能となる。また受信装置の製造工程において、例えば第１はんだ接続、第２はんだ接続、および第３はんだ接続がまとめて実行されるような場合に、はんだ接続を行う度に基板を裏返すといった工程を削減することが可能となる。そのため、受信装置の製造コストを極力抑えることが可能となる。
【００３４】
また本発明に係る受信システムは、上記第１から第１５の何れかの構成に係る受信装置と、該受信装置から前記アナログの映像音声信号を受取り、該受取った信号に基づいて映像を表示する、映像表示装置と、を備えた構成（第１６の構成）とする。
【００３５】
本構成によれば、上記構成による利点を享受しつつ、放送信号に基づいた映像の表示（放送番組の映像表示）を実現することが可能となる。また映像表示装置は、受信装置からアナログの映像音声信号を受取るため、放送信号の復調処理や圧縮の解除処理などを行う装置の設置が不要となる。そのため、映像表示装置における基板の簡易化や、映像表示装置のコストアップを極力抑えることが可能となる。
【発明の効果】
【００３６】
上述した通り、本発明に係る受信装置および受信システムによれば、複数のチューナー回路部等は、シャーシの内側に配置されることとなる。そのため、チューナー回路部への外部からのノイズ混入を、極力抑えることが可能となる。また更に、チューナー回路部と信号処理部は各々別の基板に配置されているため、同一基板に配置される場合に比べて、チューナー回路部への信号処理部からのノイズ混入を抑えることが容易となる。また更に、各チューナー回路部は、シールド部材が介在することによって、互いに分離されることとなる。そのため、チューナー回路部同士の干渉も、極力抑えることが可能となる。
【００３７】
また本発明に係る受信システムによれば、映像表示装置は、受信装置からアナログの映像音声信号を受取るため、放送信号の復調処理や圧縮の解除処理などを行う装置の設置が不要となる。そのため、映像表示装置における基板の簡易化や、映像表示装置のコストアップを極力抑えることが可能となる。
【発明を実施するための最良の形態】
【００３８】
本発明の実施形態について、図１に示す構成の受信システムを例に挙げて、以下に説明する。
【００３９】
図１に示すように、本受信システムは、複数の（ここでは４個の）アンテナ２０１、受信装置３００、および映像表示装置４００等を有している。また受信装置３００は、それぞれが各アンテナ２０１に対応した、複数の（Ａ〜Ｄで示す４個の）チューナー回路部（チューナー回路が設けられた部分）３０１、デジタル復調回路部３０２、デジタル回路部３０４、映像音声出力回路３０８、および電源部３０９等を備えている。
【００４０】
またデジタル復調回路部３０２は、デジタル復調ＩＣ３０３を備えており、デジタル回路部３０４は、映像音声処理ＩＣ３０５、映像音声処理用メモリ３０６、およびプログラム用メモリ３０７を備えている。また映像表示装置４００は、表示処理部４０１および音声処理部４０２を備えている。
【００４１】
受信装置３００における各チューナー回路部３０１は、各アンテナ２０１に接続されており、当該アンテナ２０１を通じて放送信号が入力される。これにより受信装置３００は、同時に複数経路にて放送信号を受信することが可能である。なお放送信号は、デジタルの映像音声信号に圧縮処理の施された信号が、所定の変調方式によって変調されているものとなっている。各チューナー回路部３０１は、入力された放送信号を所定の周波数で検波し、中間周波数の信号（以下、「ＩＦ信号」と称する）に変換して、後段に接続されているデジタル復調ＩＣに出力する。
【００４２】
デジタル復調ＩＣ８０２は、各チューナー回路部３０１から伝送されてきたＩＦ信号の各々を復調・合成し、圧縮されたデジタルの映像音声信号を生成する。この圧縮されたデジタルの映像音声信号は、後段に接続されている映像音声処理ＩＣ３０５に出力される。
【００４３】
映像音声処理ＩＣ３０５は、この圧縮されたデジタルの映像音声信号に伸張処理（圧縮を解除する処理）等を施し、伸張されたデジタルの映像信号と音声信号を生成する。なお、処理の実行においては、映像音声処理用メモリ３０６に記録されているデータや、プログラム用メモリに記録されている、受信装置の制御コード等が用いられる。そして伸張されたデジタルの映像信号と音声信号は、映像音声処理ＩＣ３０５の後段に接続されている映像音声出力回路３０８に出力される。
【００４４】
映像音声出力回路３０８は、映像音声処理ＩＣ３０５から伝送されてきたデジタルの映像信号をアナログの映像信号に変換するとともに、映像音声処理ＩＣ３０５から伝送されてきたデジタルの音声信号を、アナログの音声信号に変換する。また当該アナログの映像信号と音声信号は、受信装置３００の後段側に接続されている映像表示装置４００に出力されることになる。
【００４５】
そして映像表示装置４００では、表示処理部４０１が、入力されたアナログの映像信号に基づいて映像を表示する。また音声処理部４０２が、入力されたアナログの音声信号に基づいて音声を出力する。なお電源部３０９は、受信装置３００における各装置（３０１、３０３、３０５〜３０８）等に電力を供給する。またデジタル復調回路部３０２、デジタル回路部３０４、および映像音声出力回路３０８をまとめて見ると、これは、チューナー回路部３０１の各々からＩＦ信号が入力され、該信号に所定の処理を施すことによって、アナログの映像音声信号（映像信号と音声信号）を生成する、信号処理部と見ることもできる。
【００４６】
ここで受信装置３００の実装形態について説明する。受信装置３００の一方側の面（表面）の実装形態を図２に、受信装置３００の他方側の面（裏面）の実装形態を図３に、それぞれ示す。
【００４７】
これらの図に示すように、受信装置３００は、金属製の筐体として形成されたシャーシ５０７の内部に、第１基板５００と第２基板５０１が設けられた構成となっている。なお図２および図３では、シャーシ５０７の蓋は表示されていないが、実際には蓋が存在しており、各基板（５００、５０１）はシャーシ５０７によって全面が覆われる（シャーシ５０７に内包される）格好となっている。また各基板（５００、５０１）の裏面とシャーシ５０７の裏側の蓋との距離は、各基板（５００、５０１）の表面とシャーシ５０７の表側の蓋との距離よりも、小さくなっている。
【００４８】
第１基板５００および第２基板５０１は、アースパターンや信号パターン等のパターン有する、外縁が略長方形の基板である。また第１基板５００は２層基板として、第２基板５０１は４層基板として構成されている。なお第１基板５００は、数十以上の多数のピンを有するＩＣが搭載されていないために、第２基板５０１に比べて層数を少なくすることが可能となっている。また第１基板５００の裏面には、アナログアースパターンが設けられており、第２基板５０１の裏面には、デジタルアースパターンが設けられている。
【００４９】
また第１基板５００には、複数のチューナー回路部３０１および第１コネクタ５０３が設けられており、第２基板５０１には、デジタル復調回路部３０２、デジタル回路部３０４、映像音声出力回路３０８、電源部３０９、第２コネクタ５０４、および第３コネクタ５０５が設けられている。またシャーシ５０７の一側面（図２の左側の側面）には、アンテナ２０１側に接続されて放送信号の入力を可能とするための、チューナー入力端子５０２が、各チューナー回路３０１に対応して設けられている。
【００５０】
またシャーシ５０７内においては、チューナー入力端子５０２に近い側から、第１基板５００および第２基板５０１が、並ぶように取り付けられている。そして、第１基板５００と第２基板５０１の互いに向かい合っている辺には、第１コネクタ５０３および第２コネクタ５０４が配置されている。なおチューナー入力端子５０２の各々は、第１基板５００の一辺（第１コネクタ５０３が配置されている辺の対辺）を介して、対応するチューナー回路部３０１の入力側に電気的に接続されている。
【００５１】
また各チューナー回路部３０１は、図２に示すように、チューナー入力端子５０２と第１コネクタ５０３の間に、並列的に設けられている。なお各チューナー回路部３０１と第１コネクタ５０３の間には、第１シールド板５０８が設けられている。これにより、各チューナー回路部３０１に、第１コネクタ５０３や第２基板５０１側からノイズが混入することを、極力防止することが可能となっている。
【００５２】
また各チューナー回路部３０１同士の間には、第３シールド板５５０が設けられている。つまり各チューナー回路部３０１は、シールド部材が介在することによって、互いに分離されている。これにより、各チューナー回路部３０１が互いにノイズを与え合うことを、極力防止することが可能となっている。
【００５３】
なお複数のチューナー回路部３０１は、必ずしも同一基板上に実装される必要はなく、各々チューナー回路部３０１が、別々の基板に実装されても構わない。この場合、各チューナー回路部３０１への電源供給経路としては、例えば各チューナー回路部３０１と電源部３０９とを、後述するジャンパー線５１０を介して接続することにより確保され得る。
【００５４】
一方、第２基板５０１には、第２コネクタ５０４に近い側から、デジタル復調回路部３０２、電源部３０９、デジタル回路部３０４、および映像音声出力回路３０８が順に配置されている。そのため受信装置３００を全体的に見れば、チューナー入力端子５０２に近い側から、各チューナー回路部３０１、デジタル復調回路部３０２、電源部３０９、デジタル回路部３０４、および映像音声出力回路３０８が、順に配置されていると言える。
【００５５】
なおデジタル回路部３０４においては、映像音声処理ＩＣ３０５は、第２基板５０１の表側に配置されているが、映像音声処理用メモリ３０６とプログラム用メモリ３０７は、第２基板の裏側に配置されている。そして、映像音声処理ＩＣ３０５と映像音声処理用メモリ３０６を結ぶ配線等は、第２基板５０１において内層パターン配置されている。
【００５６】
また第２基板５０１における第２コネクタ５０４が設けられた辺と直交している一辺には、第３コネクタ５０５が設けられている。また第３コネクタ５０５には、映像表示装置４００に接続される複数のコネクタピン５０５ａが、第２基板５０１から突出するように設けられている。なお各コネクタピン５０５ａは、第２基板５０１の裏側において、第３コネクタ５０５にはんだ接続（第３はんだ接続）によって接続されている。コネクタピン５０５ａは、映像表示装置４００側への、アナログの映像音声信号の出力等に用いられる。
【００５７】
またこのコネクタピン５０５ａは、全て、シャーシ５０７の一側面（チューナー入力端子５０２が設けられた面と直交している面）から突出するようになっている。換言すれば、コネクタピン５０５ａの突出方向とチューナー入力端子５０２の突出方向とは、互いに直交しており、Ｌ字の状態となっている。
【００５８】
また第２基板５０１において、デジタル復調回路部３０２と、その他の回路等（３０４、３０８、３０９）との間には、第２シールド板５０９が設けられており、双方が互いにノイズを与え合うことを、極力防止することが可能となっている。なお第１〜第３シールド板の各々（５０８、５０９、５５０）は、導電性材料で形成されているとともに、シャーシ５０７に接続されており、電磁シールドとしての役割を果たしうる。
【００５９】
また第１基板５００の裏側に設けられているアナログアースパターンは、第１基板５００の全ての辺（複数の辺と見ることもできる）において、シャーシ５０７とはんだ接続（第１はんだ接続）によって接続されている。具体的には図３を参照して、上側の辺においてはＳ１、左側の辺においてはＳ２〜５、下側の辺においてはＳ６、右側の辺においてはＳ１１〜１４で示す部分で、互いにはんだ接続されている。
【００６０】
また第２基板５０１の裏側に設けられているデジタルアースパターンは、第２基板５０１の全ての辺（複数の辺と見ることもできる）において、シャーシ５０７とはんだ接続（第１はんだ接続）によって接続されている。具体的には図３を参照して、上側の辺においてはＳ８、左側の辺においてはＳ７、下側の辺においてはＳ１０、右側の辺においてはＳ９で示す部分で、互いにはんだ接続されている。
【００６１】
このように第１基板５００のアナログアースパターンは、シャーシ５０７と、広範囲にわたって複数の部分で接続されている。また第２基板５０１のデジタルアースパターンも、シャーシ５０７と、広範囲にわたって複数の部分で接続されている。そのため、シャーシ５０７と各アースパターンの間におけるインピーダンスを、極力小さく抑えることが可能となっている。なお第１基板５００のアナログアースパターンと、第２基板のデジタルアースパターンは、シャーシ５０７を介して電気的に接続されている。
【００６２】
また第１基板５００や第２基板５０１のアースパターンと、シャーシ５０７とのはんだ接続は、全て各基板（５００、５０１）の裏側の面でなされている。なお先述したように、各基板（５００、５０１）の面とシャーシ５０７の蓋との距離は、基板の裏面側の方が小さくなっている。そのため、受信装置３００の製造工程において、はんだ付け装置および工具が、シャーシ５０７の側面に誤って接触する事態を回避させやすくすることが可能となっている。その結果、受信装置３００の製造（実装）工程を効率の良いものとし、ひいては、製造コストを極力抑えることが可能となっている。
【００６３】
また第１基板５００や第２基板５０１のアースパターンと、シャーシ５０７とのはんだ接続は、全て各基板（５００、５０１）の片面のみでなされていると見ることもできる。そのため、受信装置３００の製造工程において、シャーシ５０７と各基板のアースパターンがはんだ接続される際に、基板を裏返す等の工程を省くことが可能である。その結果、受信装置３００の製造コストを極力抑えることが可能となっている。
【００６４】
また第１基板５００（各チューナー回路部３０１）と第２基板５０１（デジタル復調回路部３０２）とは、第１コネクタ５０３と第２コネクタ５０４を結んでいるジャンパー線５１０によって、互いに接続されている。このジャンパー線５１０は、先述したＩＦ信号の伝送線（信号線）やアース線として用いられることになる。ここでジャンパー線５１０の配置等について、図４を参照しながら、より詳細に説明する。
【００６５】
図４に示すように、各ジャンパー線５１０（図４の上側から見て、Ｌ１１〜Ｌ４４）は、互いに略並行に伸びるよう配置されている。そして各ジャンパー線５１０は、第１基板５００の裏側においては第１コネクタ５０３に、第２基板の裏側においては第２コネクタ５０４に、はんだ接続（第２はんだ接続）によって接続されている。またジャンパー線５１０のうち、Ｌ１１〜Ｌ１３は、チューナー回路部Ｄの信号線（チューナー回路部から出力される、ＩＦ信号の伝送に用いられる）として用いられ、Ｌ１４は、チューナー回路部Ｄのアース線（アースに接続される）として用いられるようになっている。
【００６６】
またＬ２１〜Ｌ２３は、チューナー回路部Ｃの信号線として用いられ、Ｌ２４は、チューナー回路部Ｃのアース線として用いられるようになっている。またＬ３１〜Ｌ３３は、チューナー回路部Ｂの信号線として用いられ、Ｌ３４は、チューナー回路部Ｂのアース線として用いられるようになっている。またＬ４１〜Ｌ４３は、チューナー回路部Ａの信号線として用いられ、Ｌ４４は、チューナー回路部Ａのアース線として用いられるようになっている。
【００６７】
このようにジャンパー線５０１の配置については、一のチューナー回路部３０１の信号線と、これに隣り合うチューナー回路部３０１の信号線との間には、アース線が介在するようになっている。そのため、一のチューナー回路部３０１から出力されるＩＦ信号と、他のチューナー回路部３０１から出力されるＩＦ信号とが、相互に干渉することを、極力抑えることが可能となっている。なおこのような干渉を極力抑えるためには、一のチューナー回路部３０１に係るＩＦ信号伝送用のジャンパー線と、これに隣り合うチューナー回路部３０１に係るＩＦ信号伝送用のジャンパー線とが、互いにできる限り離れるように配置することも有効である。
【００６８】
また先述したように、コネクタピン５０５ａは、シャーシ５０７の一側面（チューナー入力端子５０２が設けられた面と直交している面）から突出しているため、次のようにして、受信装置３００を映像表示装置４００に取り付けることが可能である。なお受信装置３００は、コネクタピン５０５ａが映像表示装置４００側に挿入されることで、映像表示装置４００に取り付け可能となっている。
【００６９】
まず図５に示すように、コネクタピン５０５ａを折り曲げないようにすることで、受信装置３００を立てるようにして、受信装置３００を映像表示装置４００に取り付けることが可能である。また図６に示すように、コネクタピン５０５ａを直角に折り曲げることで、受信装置３００を寝かせるようにして、映像表示装置４００に取り付けることも可能である。なおこの折り曲げの軸は、チューナー入力端子５０２の突出方向と同じである。
【００７０】
これにより、何れのようにして受信装置３００が映像表示装置４００に取り付けられても、チューナー入力端子５０２が、映像表示装置４００と干渉したり、対向したりすることがない。そのため、チューナー入力端子５０２と外部装置との接続が阻害されることを、防止することが可能となっている。
【００７１】
なお第１基板５００には、コネクタピン５０５ａのようにシャーシ５０７の外側に突出する端子は、設けられていない。そのため、第１基板５００に備えられているチューナー回路部３０１への、外部からのノイズ混入を、より一層抑えることが可能となっている。
【００７２】
以上に説明したように、受信装置３００においては、複数のチューナー回路部３０１等は、シャーシ５０７の内側に配置されている。そのため、チューナー回路部３０１への外部からのノイズ混入を、極力抑えることが可能となっている。また更に、チューナー回路部３０１と信号処理部（デジタル復調回路３０２やデジタル回路部３０４）は、各々別の基板に配置されている。そのため、これらが同一基板に配置される場合に比べて、チューナー回路３０１部への信号処理部からのノイズ混入を、抑えることが容易となる。
【００７３】
また更に、各チューナー回路部３０１は、第３シールド板５５０（シールド部材）が介在することによって、互いに分離されている。そのため、チューナー回路部３０１同士の干渉も、極力抑えることが可能となっている。
【００７４】
また、各基板（５００、５０１）のアースパターンとシャーシ５０７を接続するはんだ接続（第１はんだ接続）、各基板のコネクタ（５０３、５０４）とジャンパー線５１０を接続するはんだ接続（第２はんだ接続）は、各基板の裏面側（同一の面側）で行われている。更に、第３コネクタ５０５とコネクタピン５０５ａを接続するはんだ接続（第３はんだ接続）も、第２基板５０１の裏面側で行われている。そのため、受信装置３００の製造工程において、例えばこれらのはんだ接続がまとめて実行されるような場合に、はんだ接続を行う度に基板を裏返すといった工程を削減することが可能となっている。その結果、受信装置３００の製造コストを極力抑えることが可能となっている。
【００７５】
以上、本発明の実施形態について説明したが、本発明はこの内容に限定されるものではない。また本発明は、その趣旨を逸脱しない限り、種々の形態によって実施可能である。なお本実施形態の受信装置３００では、４個のチューナー回路を備えたものとなっているが、２個、３個、もしくは５個以上を備えたものであっても構わない。
【産業上の利用可能性】
【００７６】
本発明は、放送信号を受信する受信システム等の分野において利用可能である。
【図面の簡単な説明】
【００７７】
【図１】本発明の実施形態に係る受信システムの構成図である。
【図２】本発明の実施形態に係る受信装置の実装形態（表面）を示す説明図である。
【図３】本発明の実施形態に係る受信装置の実装形態（裏面）を示す説明図である。
【図４】ジャンパー線の配置等に関する説明図である。
【図５】受信装置が映像表示装置に取り付けられた状態に関する説明図である。
【図６】受信装置が映像表示装置に取り付けられた状態に関する説明図である。
【図７】従来の受信システムの構成図である。
【符号の説明】
【００７８】
２０１    アンテナ
３００    受信装置
３０１    チューナー回路部
３０２    デジタル復調部
３０３    デジタル復調ＩＣ
３０４    デジタル回路
３０５    映像音声処理ＩＣ
３０６    映像音声処理用メモリ
３０７    プログラム用メモリ
３０８    映像音声出力回路
３０９    電源部
４００    映像表示装置
４０１    表示処理部
４０２    音声処理部
５００    第１基板
５０１    第２基板
５０２    チューナー入力端子
５０３    第１コネクタ
５０４    第２コネクタ
５０５    第３コネクタ
５０５ａ  コネクタピン（出力端子）
５０７    シャーシ
５０８    第１シールド板
５０９    第２シールド板
５１０、Ｌ１１〜Ｌ４４    ジャンパー線
５５０    第３シールド板（シールド部材）
Ｓ１〜Ｓ１４    はんだ接続部分
【図１】
2009302796.tif 000003
【図２】
2009302796.tif 000004
【図３】
2009302796.tif 000005
【図４】
2009302796.tif 000006
【図５】
2009302796.tif 000007
【図６】
2009302796.tif 000008
【図７】
2009302796.tif 000009